(57)【特許請求の範囲】
【請求項１】
軸方向に延びる複数の主筋と、
前記主筋の軸方向と交差する平面内において矩形状とされて前記主筋を囲んで配置された複数のせん断補強筋と、
前記主筋の軸方向において前記せん断補強筋と隣接して設けられた付着補強筋とを備え、
前記主筋は、前記せん断補強筋の少なくとも四隅において時計回りに配筋された第１主筋、第２主筋、第３主筋および第４主筋と、前記第１主筋と前記第２主筋との間であって前記第１主筋に隣接して設けられた第５主筋と、前記第１主筋と前記第２主筋との間であって前記第２主筋に隣接して設けられた第６主筋と、前記第３主筋と前記第４主筋との間であって前記第３主筋に隣接して設けられた第７主筋と、前記第３主筋と前記第４主筋との間であって前記第４主筋に隣接して設けられた第８主筋と、前記第１主筋と前記第４主筋との間に設けられた第９主筋と、前記第２主筋と前記第３主筋との間に設けられた第１０主筋とを有し、
前記付着補強筋は、少なくとも前記第１主筋と前記第４主筋とを囲み、前記第５主筋と前記第８主筋とに内周が当接し、かつ、前記第９主筋に当接する第１付着補強筋と、少なくとも前記第２主筋と前記第３主筋とを囲み、前記第６主筋と前記第７主筋とに内周が当接し、前記第１０主筋に当接する第２付着補強筋と、を有する
ことを特徴とする鉄筋構造。
【請求項２】
請求項１に記載の鉄筋構造において、
前記付着補強筋は、前記主筋の軸方向と直交する方向に延びる背部の両端部から折り曲げられた一対の曲折部を有するコ字状部と、前記曲折部の先端から前記曲折部の軸方向に延びる一対の足部とを備え、
前記コ字状部は、少なくとも前記第１主筋と前記第９主筋と前記第４主筋とに対向し、
前記足部の先端は、前記第１主筋と前記第２主筋との中間位置、及び前記第３主筋と前記第４主筋との中間位置には至らない
ことを特徴とする鉄筋構造。
【請求項３】
請求項１に記載の鉄筋構造において、
前記付着補強筋は、前記主筋の軸方向と直交する方向に延びる背部の両端部から折り曲げられた一対の曲折部を有するコ字状部と、基端が前記曲折部に接続されて先端が互いに近接する方向に折り曲げられた一対の足部とを備え、
前記コ字状部は、少なくとも前記第１主筋と前記第９主筋と前記第４主筋とに対向し、
前記足部の先端は、前記第１主筋と前記第２主筋との中間位置、及び前記第３主筋と前記第４主筋との中間位置には至らない
ことを特徴とする鉄筋構造。
【請求項４】
請求項１ないし請求項３のいずれかに記載の鉄筋構造が内部に埋設された
ことを特徴とする鉄筋コンクリート部材。
【発明の詳細な説明】
【技術分野】
【０００１】
本発明は、柱又は梁などに利用される鉄筋構造及びそれを用いた鉄筋コンクリート部材に関する。
【背景技術】
【０００２】
従来、軸方向に延びる複数の主筋と、主筋を囲んでせん断強度を補強する複数のせん断補強筋とを備える鉄筋コンクリート部材において、材端部の主筋の量と中央部の主筋の量に差がある場合に、主筋が曲げ引張を受けても、鉄筋コンクリート部材内部から滑って抜け出さないようにするために、主筋を材の全長に亘って配筋することが考えられる。しかし、主筋の量が増え、主筋同士を接合する部品が別途必要となり、また、主筋同士を接合するという接合作業も増えてしまう。一方、主筋の滑りを抑制するようにせん断補強筋の量を多くして主筋とコンクリートとの付着強度を向上させることも考えられるが、せん断補強筋の量が増え、せん断補強筋の配筋作業も増えてしまう。
【０００３】
そこで、せん断補強筋の他に付着補強筋を用いることが考えられる。付着補強筋を有する鉄筋構造として、主筋と、せん断補強筋と、せん断補強筋と隣接して設けられた付着補強筋とを備えた鉄筋構造が知られている（特許文献１）。
特許文献１で示される鉄筋構造では、１本の主筋が１つの付着補強筋で囲まれていたり、又は、最外周に配筋された主筋よりも内側に配筋された複数の主筋が１つの付着補強筋で囲まれている。
【先行技術文献】
【特許文献】
【０００４】
【特許文献１】特許第４１５１２４５号公報
【発明の概要】
【発明が解決しようとする課題】
【０００５】
しかし、特許文献１に記載のような従来の鉄筋構造では、１本の主筋が１つの付着補強筋で囲まれていたり、又は、複数の主筋が１つの付着補強筋で囲まれているが、鉄筋構造における最外周に配筋された主筋は付着補強筋で囲まれていないため、せん断力が最も加わる鉄筋構造の最外周側を十分に補強することに限界があった。
【０００６】
本発明の目的は、せん断力が最も加わる最外周側を補強できる鉄筋構造及びそれを用いた鉄筋コンクリート部材を提供することである。
【課題を解決するための手段】
【０００７】
本発明の鉄筋構造は、軸方向に延びる複数の主筋と、前記主筋の軸方向と交差する平面内において矩形状とされて前記主筋を囲んで配置された複数のせん断補強筋と、前記主筋の軸方向において前記せん断補強筋と隣接して設けられた付着補強筋とを備え、前記主筋は、前記せん断補強筋の少なくとも四隅において時計回りに配筋された第１主筋、第２主筋、第３主筋および第４主筋と、前記第１主筋と前記第２主筋との間であって前記第１主筋に隣接して設けられた第５主筋と、前記第１主筋と前記第２主筋との間であって前記第２主筋に隣接して設けられた第６主筋と、前記第３主筋と前記第４主筋との間であって前記第３主筋に隣接して設けられた第７主筋と、前記第３主筋と前記第４主筋との間であって前記第４主筋に隣接して設けられた第８主筋と、前記第１主筋と前記第４主筋との間に設けられた第９主筋と、前記第２主筋と前記第３主筋との間に設けられた第１０主筋とを有し、前記付着補強筋は、少なくとも前記第１主筋と前記第４主筋とを囲み、前記第５主筋と前記第８主筋とに内周が当接し、かつ、前記第９主筋に当接する第１付着補強筋と、少なくとも前記第２主筋と前記第３主筋とを囲み、前記第６主筋と前記第７主筋とに内周が当接し、前記第１０主筋に当接する第２付着補強筋と、を有することを特徴とする。
【０００８】
この構成の本発明では、付着補強筋は、少なくとも第１主筋と第４主筋とを囲み、第５主筋と第８主筋とに内周が当接する第１付着補強筋を有するので、せん断力が最も加わる鉄筋構造の外周端部側を集中して補強できる。
また、この構成の本発明では、付着補強筋は、少なくとも第２主筋と第３主筋とを囲み、第６主筋と第７主筋とに内周が当接する第２付着補強筋を有するため、せん断力が最も加わる鉄筋構造の外周端部側をより集中して補強できる。
【０００９】
本発明では、前記付着補強筋は、前記主筋の軸方向と直交する方向に延びる背部の両端部から折り曲げられた一対の曲折部を有するコ字状部と、前記曲折部の先端から前記曲折部の軸方向に延びる一対の足部とを備え、前記コ字状部は、少なくとも前記第１主筋と前記第９主筋と前記第４主筋とに対向し、前記足部の先端は、前記第１主筋と前記第２主筋との中間位置、及び前記第３主筋と前記第４主筋との中間位置には至らない構成が好ましい。
【００１０】
この構成の本発明では、付着補強筋は、曲折部の先端から曲折部の軸方向に延びる一対の足部を備え、足部の先端は、第１主筋と第２主筋との中間位置、及び第３主筋と第４主筋との中間位置には至らない。このため、鉄筋構造の施工時に付着補強筋を設置しやすくなる。
【００１１】
本発明では、前記付着補強筋は、前記主筋の軸方向と直交する方向に延びる背部の両端部から折り曲げられた一対の曲折部を有するコ字状部と、基端が前記曲折部に接続されて先端が互いに近接する方向に折り曲げられた一対の足部とを備え、前記コ字状部は、少なくとも前記第１主筋と前記第９主筋と前記第４主筋とに対向し、前記足部の先端は、前記第１主筋と前記第２主筋との中間位置、及び前記第３主筋と前記第４主筋との中間位置には至らない構成が好ましい。
【００１２】
この構成の本発明では、付着補強筋は、基端が曲折部に接続されて先端が互いに近接する方向に折り曲げられた一対の足部を備え、足部の先端は、第１主筋と第２主筋との中間位置、及び第３主筋と第４主筋との中間位置には至らない。このため、付着補強筋が鉄筋構造内部から抜けにくくなる。また、鉄筋構造の施工時に付着補強筋を設置しやすくなる。
【００１４】
本発明の鉄筋コンクリート部材は、前述の鉄筋構造が内部に埋設されたことを特徴とする。
この構成の本発明では、上記鉄筋構造が内部に埋設されているため、せん断力が最も加わる鉄筋コンクリート部材の外周端部側を集中して補強できる。
【図面の簡単な説明】
【００１５】
【図１】本発明の第１実施形態に係る鉄筋コンクリート部材を示す側面図。
【図２】図１のＩＩ−ＩＩ線での断面図。
【図３】本発明の第１実施形態に係る付着補強筋を示す平面図。
【図４】本発明の第２実施形態に係る鉄筋コンクリート部材を示す側面図。
【図５】図４のＶ−Ｖ線での断面図。
【図６】本発明の第２実施形態に係る付着補強筋を示す平面図。
【発明を実施するための形態】
【００１６】
以下、本発明の各実施形態を図面に基づいて説明する。
なお、各実施形態において、同一の構成部分には同じ符号を付すとともに、それらの説明を省略または簡略化する。
【００１７】
＜第１実施形態＞
図１は鉄筋コンクリート部材１０の側面図であり、図２は鉄筋コンクリート部材１０の断面図であり、図３は付着補強筋４を示す。
鉄筋コンクリート部材１０は、鉄筋構造１と、鉄筋構造１が内部に埋設されたコンクリート５とを備える。
【００１８】
鉄筋構造１は、軸方向（図１における左右方向）に延びる複数の主筋２と、主筋２の軸方向と交差する平面（図２における紙面と平行な平面）内において矩形状とされて主筋２を囲んで配置され、鉄筋構造１のせん断強度を補強する複数のせん断補強筋３と、主筋２の軸方向においてせん断補強筋３に重ねて設けられる付着補強筋４とを備える。
【００１９】
主筋２は、外周側（図２における上端部側及び下端部側）に配筋された第１主筋２１Ａ〜第９主筋２１Ｉ、第１０主筋２１Ｌ、第１１主筋２１Ｋ、第１２主筋２１Ｊを有する。本実施形態では、図２の上端側と下端側とのそれぞれにおいて、主筋２は６本ずつ配筋されている。
第１主筋２１Ａ〜第４主筋２１Ｄは、せん断補強筋３の四隅に時計回りに配筋されている。
第５主筋２１Ｅは、第１主筋２１Ａと第２主筋２１Ｂとの間であって第１主筋２１Ａに隣接して設けられ、第６主筋２１Ｆは、第１主筋２１Ａと第２主筋２１Ｂとの間であって第２主筋２１Ｂに隣接して設けられている。
【００２０】
第７主筋２１Ｇは、第３主筋２１Ｃと第４主筋２１Ｄとの間であって第３主筋２１Ｃに隣接して設けられ、第８主筋２１Ｈは、第３主筋２１Ｃと第４主筋２１Ｄとの間であって第４主筋２１Ｄに隣接して設けられている。
第９主筋２１Ｉは第１主筋２１Ａと第４主筋２１Ｄとの間に設けられ、第１２主筋２１Ｊは第５主筋２１Ｅと第８主筋２１Ｈとの間に設けられている。また、第１１主筋２１Ｋは第６主筋２１Ｆと第７主筋２１Ｇとの間に設けられ、第１０主筋２１Ｌは第２主筋２１Ｂと第３主筋２１Ｃとの間に設けられている。
【００２１】
せん断補強筋３は、図１に示すように、主筋２の軸方向に略等間隔で並んで配筋されている。各せん断補強筋３は、高強度鋼棒などから形成され、フープ形状である。
せん断補強筋３は、図２に示すように、第１主筋２１Ａ〜第９主筋２１Ｉ及び第１０主筋２１Ｌと当接する。これによって、せん断補強筋３が全ての主筋２１Ａ〜２１Ｌを囲む。なお、本実施形態では、各せん断補強筋３は、図２における上部右側角部分に、内側に向かって延びる一対の腕部３１を有し、せん断補強筋３の上部右側角部分の曲面部分と一対の腕部３１とで第１主筋２１Ａを囲んでいる。
【００２２】
付着補強筋４は、低強度鋼材などから形成され、１つのせん断補強筋３に対応して一対設けられており、図２における上側に設けられた第１付着補強筋４Ａと、図２における下側に設けられた第２付着補強筋４Ｂとを有する。第１付着補強筋４Ａと第２付着補強筋４Ｂとは、一端側が開放されたコの字形状であり、この開放部分どうしが対向されている。
第１付着補強筋４Ａは、主筋２の軸方向と直交する方向（図２における左右方向）に延びる背部４１と背部４１の両端部から折り曲げられた一対の曲折部４２とを有するコ字状部４３と、曲折部４２の先端から曲折部４２の軸方向（図２における軸方向）に延びる一対の足部４４とを備える。
【００２３】
背部４１は、第１主筋２１Ａ、第４主筋２１Ｄ及び第９主筋２１Ｉと当接し、曲折部４２は、第１主筋２１Ａ及び第５主筋２１Ｅと、第４主筋２１Ｄ及び第８主筋２１Ｈと当接する。よって、コ字状部４３は、第１主筋２１Ａと第４主筋２１Ｄとに当接している。
足部４４は第５主筋２１Ｅ及び第８主筋２１Ｈと当接し、この当接する第５主筋２１Ｅ及び第８主筋２１Ｈよりも曲折部４２の軸方向に向けて延出する。そして、一対の足部４４は互いに平行である。ただし、足部４４の先端は、第１主筋２１Ａと第２主筋２１Ｂとの中間位置、及び第３主筋２１Ｃと第４主筋２１Ｄとの中間位置には至らない。
【００２４】
このような第１付着補強筋４Ａは第１主筋２１Ａと第４主筋２１Ｄとを囲み、第１付着補強筋４Ａの内周が第５主筋２１Ｅと第８主筋２１Ｈとに当接する。
【００２５】
第２付着補強筋４Ｂは、第１付着補強筋４Ａと同様の構造であり、背部４１は、第２主筋２１Ｂ、第３主筋２１Ｃ及び第１０主筋２１Ｌと当接し、曲折部４２は、第２主筋２１Ｂ及び第６主筋２１Ｆと、第３主筋２１Ｃ及び第７主筋２１Ｇと当接する。よって、コ字状部４３は、第２主筋２１Ｂと第３主筋２１Ｃとに当接している。
【００２６】
足部４４は第６主筋２１Ｆ及び第７主筋２１Ｇと当接し、この当接する第６主筋２１Ｆ及び第７主筋２１Ｇよりも曲折部４２の軸方向に向けて延出する。そして、足部４４の先端は、第１主筋２１Ａと第２主筋２１Ｂとの中間位置、及び第３主筋２１Ｃと第４主筋２１Ｄとの中間位置には至らない。
このような第２付着補強筋４Ｂは第２主筋２１Ｂと第３主筋２１Ｃとを囲み、第２付着補強筋４Ｂの内周が第６主筋２１Ｆと第７主筋２１Ｇとに当接する。
【００２７】
従って、本実施形態では、以下の作用効果を奏することができる。
（１）本実施形態の鉄筋構造１では、付着補強筋４は、第１主筋２１Ａと第４主筋２１Ｄとを囲み、第５主筋２１Ｅと第８主筋２１Ｈとに内周部が当接する第１付着補強筋４Ａを有するので、せん断力が最も加わる鉄筋構造１の外周端部側を集中して補強できる。
【００２８】
（２）また、付着補強筋４は、曲折部４２の先端から曲折部４２の軸方向に延びる一対の足部４４を備え、足部４４の先端は、第１主筋２１Ａと第２主筋２１Ｂとの中間位置、及び第３主筋２１Ｃと第４主筋２１Ｄとの中間位置には至らない。このため、鉄筋構造１の施工時に付着補強筋４を設置しやすくなる。
【００２９】
（３）また、付着補強筋４は、第２主筋２１Ｂと第３主筋２１Ｃとを囲み、第６主筋２１Ｆと第７主筋２１Ｇとに内周部が当接する第２付着補強筋４Ｂを有するため、せん断力が最も加わる鉄筋構造１の外周端部側をより集中して補強できる。
【００３０】
（４）本実施形態の鉄筋コンクリート部材１０では、鉄筋構造１が内部に埋設されているため、せん断力が最も加わる鉄筋コンクリート部材１０の外周端部側を集中して補強できる。
【００３１】
＜第２実施形態＞
次に、本発明の第２実施形態について説明する。
図４ないし図６に示すように、本実施形態の鉄筋構造１Ａでは、第１実施形態と異なり、各足部４４は、基端が曲折部４２に接続されて先端が互いに近接する方向に所定角度αだけ折り曲げられている。なお、本実施形態では、一対の腕部３１は、図５における下部左側角部分に設けられている。
【００３２】
このような本実施形態の鉄筋構造１Ａ、鉄筋コンクリート部材１０Ａでは、第１実施形態と同様の（１）〜（４）の作用効果を奏する上に、付着補強筋４は、基端が曲折部４２に接続されて先端が互いに近接する方向に折り曲げられた一対の足部４４を備え、足部４４の先端は、第１主筋２１Ａと第２主筋２１Ｂとの中間位置、及び第３主筋２１Ｃと第４主筋２１Ｄとの中間位置には至らない。このため、付着補強筋４が鉄筋構造１Ａ内部から抜けにくくなる。また、鉄筋構造１Ａの施工時に付着補強筋４を設置しやすくなる。
【００３３】
なお、本発明は前述の実施形態に限定されるものではなく、本発明の目的を達成できる範囲での変形、改良等は本発明に含まれるものである。
例えば、前記実施形態では、せん断補強筋３の内周に沿って第１主筋２１Ａ〜第４主筋２１Ｄ、第９主筋２１Ｉ及び第１０主筋２１Ｌが配筋されていたが、主筋２は、少なくとも、せん断補強筋３の四隅に配筋されていればよい。
【００３４】
また、前記実施形態では、せん断補強筋３は一対の腕部３１を有していたが、せん断補強筋３は腕部３１を有していなくてもよい。
【００３５】
また、前記実施形態では、第１付着補強筋４Ａの足部４４の先端は、第１主筋２１Ａと第２主筋２１Ｂとの中間位置、及び第３主筋２１Ｃと第４主筋２１Ｄとの中間位置には至らなかったが、これには限定されず、第１主筋２１Ａと第２主筋２１Ｂとの中間位置、及び第３主筋２１Ｃと第４主筋２１Ｄとの中間位置に至っていてもよい。
さらに、前記実施形態では、第２付着補強筋４Ｂの足部４４の先端は、第１主筋２１Ａと第２主筋２１Ｂとの中間位置、及び第３主筋２１Ｃと第４主筋２１Ｄとの中間位置には至らなかったが、これには限定されず、第１主筋２１Ａと第２主筋２１Ｂとの中間位置、及び第３主筋２１Ｃと第４主筋２１Ｄとの中間位置に至っていてもよい。
そして、第１付着補強筋４Ａの足部４４の先端と第２付着補強筋４Ｂの足部４４の先端とが重なっていてもよい。
【００３６】
また、前記実施形態では、第１付着補強筋４Ａのコ字状部４３は、第１主筋２１Ａ、第４主筋２１Ｄ及び第９主筋２１Ｉとに当接していたが、これには限定されず、このコ字状部４３が、第１主筋２１Ａ、及び、第４主筋２１Ｄから所定距離離れていてもよく、第１主筋２１Ａ、及び、第４主筋２１Ｄに対向していればよい。
【００３７】
また、第２付着補強筋４Ｂのコ字状部４３は、第２主筋２１Ｂ、第３主筋２１Ｃ及び第１０主筋２１Ｌと当接していたが、これには限定されず、このコ字状部４３が、第２主筋２１Ｂ、及び、第３主筋２１Ｃから所定距離離れていてもよく、第２主筋２１Ｂ、及び、第３主筋２１Ｃに対向していればよい。
【産業上の利用可能性】
【００３８】
本発明は、柱又は梁などに利用される鉄筋構造及びそれを用いた鉄筋コンクリート部材として利用できる。
【符号の説明】
【００３９】
１，１Ａ…鉄筋構造、２…主筋、３…せん断補強筋、４…付着補強筋、４Ａ…第１付着補強筋、４Ｂ…第２付着補強筋、１０，１０Ａ…鉄筋コンクリート部材、２１Ａ…第１主筋、２１Ｂ…第２主筋、２１Ｃ…第３主筋、２１Ｄ…第４主筋、２１Ｅ…第５主筋、２１Ｆ…第６主筋、２１Ｇ…第７主筋、２１Ｈ…第８主筋、４１…背部、４２…曲折部、４３…コ字状部、４４…足部
【図１】
0006266200.tif 000002
【図２】
0006266200.tif 000003
【図３】
0006266200.tif 000004
【図４】
0006266200.tif 000005
【図５】
0006266200.tif 000006
【図６】
0006266200.tif 000007